(57)【要約】【課題】  グラウンド機能とシールド機能が良好なシールド型コネクタを提供する。【解決手段】  ハウジングは、コンタクト１，２を保持する内部ハウジング３と、外部ハウジング６とから構成される。シェルは、内部ハウジングを被覆する内シェル４，５と、外部ハウジング６を被覆する外シェル７とから構成される。内シェルは第１のシェル４と第２のシェル５とから構成され、第１のシェルと第２のシェルは、内部ハウジングを挟持するように互いに対向して内部ハウジングを被覆し、かつ、互いに係合して接続する。内シェルと外シェルとは、弾性部によって接続される。【選択図】  図３
2005038725.tif 000002
【特許請求の範囲】
【請求項１】
コンタクトと、前記コンタクトを保持するハウジングと、前記ハウジングを被覆するシェルとを有するシールド型コネクタにおいて、
前記ハウジングは、前記コンタクトを保持する内部ハウジングと、前記内部ハウジングを収容する外部ハウジングとから構成され、
前記シェルは、前記内部ハウジングを被覆する内シェルと、前記外部ハウジングを被覆する外シェルとから構成され、
前記内シェルは第１のシェルと第２のシェルとから構成され、前記第１のシェルと前記第２のシェルは、前記内部ハウジングを挟持するように互いに対向して前記内部ハウジングを被覆し、かつ、互いに係合して接続し、
前記第１のシェル又は前記第２のシェルの少なくとも一方に前記外シェルと接続する弾性部が設けられることを特徴とするシールド型コネクタ。
【請求項２】
請求項１記載のシールド型コネクタにおいて、前記弾性部は前記第１のシェル又は前記第２のシェルの少なくとも一方に設けられる代りに前記外シェルに設けられることを特徴とするシールド型コネクタ。
【請求項３】
前記第１のシェルと前記第２のシェルとは一体で形成されることを特徴とする請求項１記載のシールド型コネクタ。
【請求項４】
前記弾性部によって押圧される前記外シェルの部分と対向する前記外部ハウジングの部分に、前記弾性部による押圧力の受け部が設けられることを特徴とする請求項１又は２記載のシールド型コネクタ。
【発明の詳細な説明】
【技術分野】
【０００１】
本発明は、内シェルと外シェルによってシールドされるコネクタに関する。
【背景技術】
【０００２】
従来のシールド型コネクタについて説明する（例えば、特許文献１参照。）。
【０００３】
図４〜図６に示されるように、シールド型コネクタは、メインハウジング２１と、メインハウジング２１の中に収容されるコネクタハウジング２２と、コネクタハウジング２２の中に収容される導電板製の内シールドケース２３と、内シールドケース２３に囲まれるプラグ挿入用空間の中央にプラグと接触するように設けられるプラグコンタクト部２４と、メインハウジング２１を被覆する導電板製の外シールドケース２５等とから構成される。
【０００４】
メインハウジング２１は、プラグが挿入される口部２１ａと、外シールドケース２５の前縁を係止するための枠部２１ｂと、長方形状の筒部２１ｃとから構成される。
【０００５】
口部２１ａの内面は、内シールドケース２３の内面と共にプラグ挿入空間を形成する。
【０００６】
筒部２１ｃの大きさは、コネクタハウジング２２を後方から円滑にスライドして収納できるように構成される。筒部２１ｃには、前後方向に２本の溝２１ｃ１が設けられる。各溝２１ｃ１は、筒部２１ｃに若干の可撓性を与えると共に、コネクタハウジング２２の２個の突起２２ａと係合することによりコネクタハウジング２２を固定する。
【０００７】
コネクタハウジング２２は、長方形状の筒に構成され、その大きさは、メインハウジング２１の筒部２１ｃの内面にスライドしてはめ込めるように構成される。コネクタハウジング２２の内部には、プラグコンタクト部２４の絶縁板２４ａが一体に形成され、絶縁板２４ａの先端はコネクタハウジング２２の開口面端部２２ｂから突出する。開口面端部２２ｂの反対側には、プラグコンタクト部２４の複数の上部ターミナル２６と複数の下部ターミナル２７が貫通する複数の貫通孔２２ｃ，２２ｄが設けられる。
【０００８】
コネクタハウジング２２の下部板２２ｅの両端と左右両側板２２ｆとの間には、それぞれスリット２２ｇ，２２ｇが設けられる。各スリット２２ｇ，２２ｇは、組立の際、内シールドケース２３のアース端子２３ａ，２３ａをガイドする。
【０００９】
内シールドケース２３は、金属板から長方形の筒状に一体成形され、その大きさは、コネクタハウジング２２の内面にスライドして挿入できるように構成される。
【００１０】
内シールドケース２３の上部板と下部板の各前端をそれぞれコネクタハウジング２２の上部板と下部板の各厚さ分に相当する幅だけ外方向に直角に折り曲げることによってつば部２３ｂ，２３ｃを構成する。つば部２３ｂ，２３ｃは、内シールドケース２３を収納されたコネクタハウジング２２をメインハウジング２１に挿入したとき、メインハウジング２１の口部２１ａの後端とコネクタハウジング２２の前端との間に挟持され、内シールドケース２３を固定する機能を果たす。
【００１１】
内シールドケース２３の上部板、下部板及び左右両側板には、挿入されたプラグのアース部分に接触する接触片２３ｄ，２３ｅ，２３ｆ，２３ｇ及びハーフロック部２３ｈ，２３ｉが設けられる。また、上部板、下部板、左右両側板のそれぞれの接合面は、ストッパ部２３ｊによって係合される。
【００１２】
絶縁板２４ａの上下両面には、複数の上部ターミナル２６と複数の下部ターミナル２７をそれぞれはめ込むための複数の溝２４ａ１が設けられる。各溝２４ａ１の自由端側には、各上部ターミナル２６と各下部ターミナル２７の先端部が係合する係合部２４ｂが設けられる。
【００１３】
外シールドケース２５は、メインハウジング２１の筒部２１ｃの上面及び左右両側面と、各上部ターミナル２６及び各下部ターミナル２７の後部とを被覆するように金属板から一体成形される。外シールドケース２５の上部板の前部には、メインハウジング２１の孔と係合する突起２５ａが設けられる。
【００１４】
また、外シールドケース２５の左右両側板には、下端にアース端子２５ｂ、中央に切り起こしによるストッパ２５ｃが、それぞれ設けられる。外シールドケース２５をメインハウジング２１に取り付けるとき、各アース端子２５ｂは、メインハウジング２１の下部板２１ｄに設けられた各スリット２１ｄ１にガイドされてスライドし、外シールドケース２５の左右方向の位置決めを容易に行う。
【００１５】
外シールドケース２５をメインハウジング２１に取り付けた後、各ストッパ２５ｃは外シールドケース２５が前後方向に動かないように固定する機能を有する。
【００１６】
コネクタの組立について説明する。まず、プラグコンタクト部２４に各上部ターミナル２６と各下部ターミナル２７を後部の各貫通孔２２ｃ，２２ｄから挿入する。このときの各上部ターミナル２６と各下部ターミナル２７の状態は、図４に破線２６Ａ，２７Ａで示されるように９０度以上に折曲されている。
【００１７】
次に、各アース端子２３ａを各スリット２２ｇによってガイドさせながら、内シールドケース２３を各上部ターミナル２６と各下部ターミナル２７が配設されたコネクタハウジング２２に挿入する。内シールドケース２３をコネクタハウジング２２に完全に収容したとき、内シールドケース２３のつば部２３ｂ，２３ｃはコネクタハウジング２２の前縁に当接する。
【００１８】
続いて、内シールドケース２３を収容されたコネクタハウジング２２をメインハウジング２１の筒部２１ｃの後方から、各アース端子２３ａをメインハウジング２１に設けられた各スリット（図示せず）でガイドすることによって、メインハウジング２１に挿入する。このとき、絶縁板２４ａに配設されている各上部ターミナル２６と各下部ターミナル２７は、コネクタハウジング２２の開口面よりも突出しているため、目視によって簡易に欠品、配設状態の不良等の検査を行った後にメインハウジング２１に挿入される。
【００１９】
最後に、外シールドケース２５の各アース端子２５ｂをメインハウジング２１の各スリット２１ｄ１に係合させてスライドさせることによって、外シールドケース２５をメインハウジング２１に取り付ける。以上によって、コネクタの組立は、完了する。
【特許文献１】特許第３３０８７３１号公報（第４頁第７欄第４５行−第６頁第１２欄第２１行、図１−３）
【発明の開示】
【発明が解決しようとする課題】
【００２０】
従来のシールド型コネクタは、内シールドケース２３と外シールドケース２５とは接触していないため、グラウンド機能とシールド機能が不十分である。
【００２１】
そこで、本発明は、従来のシールド型コネクタの欠点を改良し、グラウンド機能とシールド機能が良好なシールド型コネクタを提供しようとするものである。
【課題を解決するための手段】
【００２２】
本発明は、前記課題を解決するため、次の手段を採用する。
【００２３】
１．コンタクト（１，２）と、前記コンタクト（１，２）を保持するハウジング（３，６）と、前記ハウジング（３，６）を被覆するシェル（４，５，７）とを有するシールド型コネクタにおいて、前記ハウジング（３，６）は、前記コンタクト（１，２）を保持する内部ハウジング（３）と、前記内部ハウジング（３）を収容する外部ハウジング（６）とから構成され、前記シェル（４，５，７）は、前記内部ハウジング（３）を被覆する内シェル（４，５）と、前記外部ハウジング（６）を被覆する外シェル（７）とから構成され、前記内シェル（４，５）は第１のシェル（４）と第２のシェル（５）とから構成され、前記第１のシェル（４）と前記第２のシェル（５）は、前記内部ハウジング（３）を挟持するように互いに対向して前記内部ハウジング（３）を被覆し、かつ、互いに係合（４２，５２）して接続（５１）し、前記第１のシェル（４）又は前記第２のシェル（５）の少なくとも一方に前記外シェル（７）と接続する弾性部（５５）が設けられるシールド型コネクタ。
【００２４】
２．前記１記載のシールド型コネクタにおいて、前記弾性部（５５）は前記第１のシェル（４）又は前記第２のシェル（５）の少なくとも一方に設けられる代りに前記外シェル（７）に設けられるシールド型コネクタ。
【００２５】
３．前記第１のシェル（４）と前記第２のシェル（５）とは一体で形成される前記１記載のシールド型コネクタ。
【００２６】
４．前記弾性部（５５）によって押圧される前記外シェル（７）の部分と対向する前記外部ハウジング（６）の部分に、前記弾性部（５５）による押圧力の受け部（６３）が設けられる前記１又は２記載のシールド型コネクタ。
【発明の効果】
【００２７】
以上の説明から明らかなように、本発明によれば、次の効果が奏される。
【００２８】
１．コネクタは、内シェルと外シェルとによって被覆され、しかも、両シェルが接続されているので、グラウンド機能とシールド機能とが向上する。
【００２９】
２．内シェルと外シェルとが弾性部によって接続され、弾性部によって押圧される外シェルの部分と対向する外部ハウジングの部分に、弾性部による押圧力の受け部が設けられるので、両シェルは確実に接続する。
【発明を実施するための最良の形態】
【００３０】
本発明のシールド型コネクタを実施するための最良の形態として実施例１を以下に説明する。
【実施例１】
【００３１】
図１はシールド型コネクタの分解斜視図、図２は同コネクタの斜視図、図３は同コネクタの縦断面図である。
【００３２】
本実施例１におけるコンタクトは、２本のコンタクト１と、１本のコンタクト２の合計３本から構成される。各コンタクト１は、略Ｌ字型に折曲される。コンタクト２は、略Ｌ字型に折曲され、折曲部から一端側は、２本に分岐されている。
【００３３】
各コンタクト１は、相手側コネクタと接触する接触部１１と、基板にはんだ接続されるはんだ付け部１２と、内部ハウジング３に圧入されて保持される圧入部１３とから連続して一体に構成される。
【００３４】
コンタクト２は、相手側コネクタと接触する接触部２１と、基板にそれぞれはんだ接続される２本のはんだ付け部２２と、内部ハウジング３に圧入されて保持される圧入部２３とから連続して一体に構成される。
【００３５】
各コンタクト１とコンタクト２は、内部ハウジング３に設けられた各コンタクト溝３２とコンタクト溝３３に圧入されて保持される。
【００３６】
各コンタクト１とコンタクト２を組み付けられた内部ハウジング３は、内シェルである一対のフロントシェル４とバックシェル５とによって被覆され、グラウンド機能とシールド機能とを有する。
【００３７】
フロントシェル４におけるコ字状の板の左右両側面には、各２個の係止突起４１と各１個の係止部４２と各１個の係止片４３とが設けられ、また、下部には、２本のはんだ付け部４４が設けられる。更に、コ字状の板の前面中央には、４角筒部４５が設けられる。
【００３８】
バックシェル５の左右両側には、下部にばね性を有する折曲片５１が設けられ、各折曲片５１に係止穴５２が開けられ、中部に圧入片５４とばね片５５とが設けられ、下部に２本のはんだ付け部５３が設けられる。
【００３９】
外部ハウジング６は、合成樹脂から４角筒状に一体成形され、両側のフランジ部６１の内面に案内溝６２が設けられる。両側のフランジ部６１と外部ハウジング６の本体との各間には、外シェル７の左右両側面をそれぞれ挿入するために隙間が形成されている。
【００４０】
外シェル７は、４角筒状に構成され、下面に一対の係止片７１、左右両側面に凸部７２、上面前端に筐体接続部７３が、それぞれ設けられる。
【００４１】
フロントシェル４の各係止突起４１が内部ハウジング３の各係止部３１に係止することによって、フロントシェル４はハウジング３に保持される。バックシェル５の各折曲片５１の係止穴５２がフロントシェル４の各係止部４２に係止されることによって、バックシェル５はフロントシェル４に保持されると共に、両シェル４，５の接触によって電気的導通が行われる。両シェル４，５の各はんだ付け部４４，５３は、プリント基板（図示せず）にはんだ接続される。
【００４２】
前述のように組み立てられた各コンタクト１，２、内部ハウジング３、フロントシェル４及びバックシェル５は、外部ハウジング６にその後面から図２，３に示されるように組み付けられる。その際、フロントシェル４の各係止片４３は外部ハウジング６の各係止部（図示せず）に係止され、また、バックシェル５の各圧入片５４は外部ハウジング６の各圧入穴部（図示せず）に圧入される。
【００４３】
この状態において、本実施例１のコネクタは、高いシールド性能を要求されない機器に搭載可能であるが、高いシールド性を要求される機器に搭載される場合には、外シェル７を採用することによってシールド性能を向上させる。
【００４４】
外シェル７は、薄い金属板を４角筒状にプレス加工され、外部ハウジング６の前面から挿入される。外シェル７の各係止片７１は外部ハウジング６の各係止部（図示せず）に係止され、また、各凸部７２は各案内溝６２に案内挿入される。したがって、外シェル７は、外部ハウジング６に対してがたつきを生じない。
【００４５】
外シェル７を外部ハウジング６に組み付けた際、バックシェル５の各ばね片５５は外シェル７の左右両側内面に接触するので、内シェル（フロントシェル４とバックシェル５）と外シェル７とは接続する。したがって、グラウンド面積が大きくなるため、グラウンド機能は強化される。なお、バックシェル５の各ばね片５５と接触する外シェル７の左右両側内面と反対側の両面（両外面）に、フランジ６１の両モールド面６３がそれぞれ対向する。両モールド面６３は、外シェル７の左右両側内面が各ばね片５５に押されて外側へ移動することを阻止する。よって、各ばね片５５と外シェル７との接触力の低下は、防止される。また、外シェル７は、筐体接続部７３に開けられた穴７４にねじを挿通することによって筐体（図示せず）に取り付けられる。
【００４６】
本実施例１においては、内シェルのバックシェル５にばね片５５を設けたが、外シェル７にばね片を設けるように設計変更することができる。また、ばね片を、フロントシェル４に設けることもでき、更に、フロントシェル４とバックシェル５との両方に設けることもできる。
【００４７】
本実施例１では、フロントシェル４とバックシェル５とは、別体であるが、バックシェル５を開いた形で、フロントシェル４とバックシェル５とを一体で形成し、バックシェル５を曲げることにより、内部ハウジング３を囲むように構成することもできる。この場合には、部品点数の削減につながる。
【図面の簡単な説明】
【００４８】
【図１】本発明の実施例１のシールド型コネクタの分解斜視図である。
【図２】同コネクタの斜視図である。
【図３】同コネクタの縦断面図である。
【図４】従来のシールド型コネクタの縦断面図である。
【図５】同コネクタの正面図である。
【図６】同コネクタの分解斜視図である。
【符号の説明】
【００４９】
１    コンタクト
２    コンタクト
３    内部ハウジング
４    フロントシェル
５    バックシェル
６    外部ハウジング
７    外シェル
１１    接触部
１２    はんだ付け部
１３    圧入部
２１    接触部
２２    はんだ付け部
２３    圧入部
３１    係止部
３２    コンタクト溝
３３    コンタクト溝
４１    係止突起
４２    係止部
４３    係止片
４４    はんだ付け部
４５    ４角筒部
５１    折曲片
５２    係止穴
５３    はんだ付け部
５４    圧入片
５５    ばね片
６１    フランジ部
６２    案内溝
６３    モールド面
７１    係止片
７２    凸部
７３    筐体接続部
７４    穴
【図１】
2005038725.tif 000003
【図２】
2005038725.tif 000004
【図３】
2005038725.tif 000005
【図４】
2005038725.tif 000006
【図５】
2005038725.tif 000007
【図６】
2005038725.tif 000008